(57)【特許請求の範囲】
【請求項１】
無線通信のための方法であって、
複数の復調モードをサポートする復調器において周波数変調（ＦＭ）信号を受信することと、ここにおいて、前記複数の復調モードは、位相微分モード、位相同期ループ（ＰＬＬ）モード、周波数圧縮フィードバック（ＦＣＦ）モード、および直交検出器モードのうちの２つ以上を備える、
前記ＦＭ信号に対応する１つ以上のパラメータを識別することと、
前記１つ以上のパラメータに少なくとも部分的に基づいて、前記ＦＭ信号を復調するために前記複数の復調モードのうちの１つを選択するように前記復調器内の複数のモジュール間の接続を設定することと、
を備える、方法。
【請求項２】
前記１つ以上のパラメータは、前記ＦＭ信号の信号強度メトリックおよび前記ＦＭ信号の最大周波数偏差のうちの１つまたは両方を備える、
請求項１に記載の方法。
【請求項３】
前記１つ以上のパラメータに少なくとも部分的に基づいて１つ以上の信号を生成することと、
前記１つ以上の信号に少なくとも部分的に基づいて前記ＦＭ信号を復調するために前記復調器内の複数のモジュール間の前記接続を設定することと、をさらに備える、
請求項１に記載の方法。
【請求項４】
前記１つ以上のパラメータのうちの１つをスレショルド値と比較することと、
前記パラメータが前記スレショルド値を突破するときに前記復調モードの選択を切り換えることと、をさらに備える、
請求項１に記載の方法。
【請求項５】
前記複数の復調モードは、直交ＦＭモードを備える、
請求項１に記載の方法。
【請求項６】
前記復調器内の複数のモジュール間の接続を設定することは、
前記ＦＭ信号を復調するために位相微分モードを選択することと、
前記ＦＭ信号を復調するために前記復調器内の信号処理経路を設定することであって、前記信号処理経路は、アークタンジェントモジュールと位相微分器とを備える、ことと、を備える、
請求項１に記載の方法。
【請求項７】
前記復調器内の複数のモジュール間の接続を設定することは、
前記ＦＭ信号を復調するためにＰＬＬモードを選択することと、
前記ＦＭ信号を復調するために前記復調器内の信号処理経路を設定することであって、前記信号処理経路は、位相弁別器と、ＰＬＬループフィルタと、数値制御発振器（ＮＣＯ）と、を備える、ことと、
を備える、
請求項１に記載の方法。
【請求項８】
前記復調器内の複数のモジュール間の接続を設定することは、
前記ＦＭ信号を復調するためにＦＣＦモードを選択することと、
前記ＦＭ信号を復調するために前記復調器内の信号処理経路を設定することであって、前記信号処理経路は、乗算器と、適応型チャネルフィルタと、アークタンジェントモジュールと、位相微分器と、数値制御発振器（ＮＣＯ）と、を備える、ことと、
を備える、
請求項１に記載の方法。
【請求項９】
無線通信のための装置であって、
周波数変調（ＦＭ）信号を復調するための手段と、ここにおいて、前記復調するための手段は、複数の復調モードをサポートし、前記複数の復調モードは、位相微分モード、位相同期ループ（ＰＬＬ）モード、周波数圧縮フィードバック（ＦＣＦ）モード、および直交検出器モードのうちの２つ以上を備える、
前記ＦＭ信号に対応する１つ以上のパラメータを識別するための手段と、
前記１つ以上のパラメータに少なくとも部分的に基づいて、前記ＦＭ信号を復調するために前記複数の復調モードのうちの１つを選択するように前記復調するための手段内の複数のモジュール間の接続を設定するための手段と、
を備える、装置。
【請求項１０】
前記１つ以上のパラメータは、前記ＦＭ信号の信号強度メトリックおよび前記ＦＭ信号の最大周波数偏差のうちの１つまたは両方を備える、
請求項９に記載の装置。
【請求項１１】
前記１つ以上のパラメータに少なくとも部分的に基づいて１つ以上の信号を生成するための手段と、
前記１つ以上の信号に少なくとも部分的に基づいて前記ＦＭ信号を復調するために前記復調するための手段内の複数のモジュール間の前記接続を設定するための手段と、を備える、
請求項９に記載の装置。
【請求項１２】
前記１つ以上のパラメータのうちの１つをスレショルド値と比較するための手段と、
前記パラメータが前記スレショルド値を突破するときに前記復調モードの選択を切り換えるための手段と、を備える、
請求項９に記載の装置。
【請求項１３】
前記複数の復調モードは、直交ＦＭモードを備える、
請求項９に記載の装置。
【請求項１４】
無線通信のための装置であって、
プロセッサと、
前記プロセッサと電子的通信状態にあるメモリと、
前記メモリに格納された命令と、を備え、前記命令は、
複数の復調モードをサポートする復調器において周波数変調（ＦＭ）信号を受信し、前記複数の復調モードは、位相微分モード、位相同期ループ（ＰＬＬ）モード、周波数圧縮フィードバック（ＦＣＦ）モード、および直交検出器モードのうちの２つ以上を備え、
前記ＦＭ信号に対応する１つ以上のパラメータを識別し、および、
前記１つ以上のパラメータに少なくとも部分的に基づいて、前記ＦＭ信号を復調するために前記複数の復調モードのうちの１つを選択するように前記復調器内の複数のモジュール間の接続を設定する
ために前記プロセッサによって実行可能である、装置。
【請求項１５】
前記１つ以上のパラメータは、前記ＦＭ信号の信号強度メトリックおよび前記ＦＭ信号の最大周波数偏差のうちの１つまたは両方を備える、
請求項１４に記載の装置。
【請求項１６】
前記命令は、
前記１つ以上のパラメータに少なくとも部分的に基づいて１つ以上の信号を生成し、および、
前記１つ以上の信号に少なくとも部分的に基づいて前記ＦＭ信号を復調するために前記復調器内の複数のモジュール間の前記接続を設定する
ために前記プロセッサによって実行可能である、
請求項１４に記載の装置。
【請求項１７】
前記命令は、
前記１つ以上のパラメータのうちの１つをスレショルド値と比較し、および、
前記パラメータが前記スレショルド値を突破するときに前記復調モードの選択を切り換える
ために前記プロセッサによって実行可能である、
請求項１４に記載の装置。
【請求項１８】
無線通信のためのコンピュータ読み取り可能記憶媒体であって、前記コンピュータ読み取り可能記憶媒体は、命令を格納し、前記命令は、
複数の復調モードをサポートする復調器において周波数変調（ＦＭ）信号を受信し、前記複数の復調モードは、位相微分モード、位相同期ループ（ＰＬＬ）モード、周波数圧縮フィードバック（ＦＣＦ）モード、および直交検出器モードのうちの２つ以上を備え、
前記ＦＭ信号に対応する１つ以上のパラメータを識別し、および、
前記１つ以上のパラメータに少なくとも部分的に基づいて、前記ＦＭ信号を復調するために前記複数の復調モードのうちの１つを選択するように前記復調器内の複数のモジュール間の接続を設定する
ためにプロセッサによって実行可能である、コンピュータ読み取り可能記憶媒体。
【請求項１９】
前記命令は、
前記１つ以上のパラメータに少なくとも部分的に基づいて１つ以上の信号を生成し、および、
前記１つ以上の信号に少なくとも部分的に基づいて前記ＦＭ信号を復調するために前記復調器内の複数のモジュール間の前記接続を設定する
ために前記プロセッサによって実行可能である、
請求項１８に記載のコンピュータ読み取り可能記憶媒体。
【請求項２０】
前記命令は、
前記１つ以上のパラメータのうちの１つをスレショルド値と比較し、および、
前記パラメータが前記スレショルド値を突破するときに前記復調モードの選択を切り換える
ために前記プロセッサによって実行可能である、
請求項１８に記載のコンピュータ読み取り可能記憶媒体。
【発明の詳細な説明】
【相互参照】
【０００１】
[0001]  本特許出願は、“Ａｄａｐｔｉｖｅ  ＦＭ  Ｄｅｍｏｄｕｌａｔｏｒ  Ｓｕｐｐｏｒｔｉｎｇ  Ｍｕｌｔｉｐｌｅ  Ｍｏｄｅｓ”（複数のモードをサポートする適応型ＦＭ復調器）という題名を有し、２０１３年１１月１９日に出願され、これの譲受人に譲渡された米国特許出願第１４／０８３，９００号に対する優先権を主張するものである。
【背景技術】
【０００２】
[0002]  過去数十年にわたり、ブロードキャスト周波数変調された（frequency-modulated）（ＦＭ）オーディオおよび／またはデータの送信を取り扱うために様々な復調アルゴリズムが開発されている。これらのアルゴリズムの各々は、それらを幾つかの特定の状況において特に魅力的な解決策にするあるレベルの性能を提供する。しかしながら、その同じアルゴリズムが、広範な動作状態に関して最適な解決策を提供しない可能性がある。すなわち、ＦＭ復調器は、概して、ＦＭ復調器が直面する可能性がある典型的な動作状態を取り扱うのに適する単一のアルゴリズムに依存する。
【０００３】
[0003]  例えば、位相微分（phase differencing）に基づくＦＭ復調器は、小さいレイアウト（すなわち、小さいシリコンエリア（silicon area））を用いて実装され得、および、かなりの量の電力消費量なしで動作され得る。しかしながら、そのようなＦＭ復調器は、非常に不良な受信機感度を有することがあり、ＦＭ信号強度（例えば、信号対雑音比（ＳＮＲ）または信号対干渉および雑音比（ＳＩＮＲ））が十分に大きいときに使用するために実用的であるにすぎない。
【０００４】
[0004]  他方、位相同期ループ（ｐｈａｓｅ−ｌｏｃｋｅｄ  ｌｏｏｐ）（ＰＬＬ）方式に基づくＦＭ復調器は、実装するときに、位相微分に基づくＦＭ復調器よりも大きいシリコンエリアおよび電力消費量を必要とすることがある。しかしながら、ＰＬＬに基づくＦＭ復調器は、良好な受信機感度を達成することができる。ＰＬＬに基づくＦＭ復調器と同様に、周波数圧縮フィードバック（ＦＣＦ：frequency-compressive feedback）に基づくＦＭ復調器も良好な受信機感度を提供することができるが、大きなシリコンエリアおよび電力消費量を要求する。
【０００５】
[0005]  典型的なＦＭ復調アルゴリズムは広範な動作状態に関して最適な性能を生み出すことができない一方で、各々が異なるＦＭ復調アルゴリズムに基づく複数のＦＭ復調器を使用することは、非実用的でありかつ高コストでもある。従って、広範な状況または動作状態に関して適切なレベルの性能を提供することができる単一のＦＭ復調器を有することが望ましい。
【発明の概要】
【０００６】
[0006]  説明される特徴は、概して、無線通信のための１つ以上の改良された方法、装置、デバイス、および／またはシステムに関連する。より具体的には、説明される特徴は、概して、ＦＭ受信機が複数の復調モード（例えば、アルゴリズム）をサポートすることが可能な適応型ＦＭ復調器（an adaptive FM demodulator）を使用する無線通信に関連する。
【０００７】
[0007]  複数のモードをサポートする適応型ＦＭ復調器の一態様は、ＦＭ復調器においてＦＭ信号（例えば、ＦＭオーディオ・ブロードキャスト信号）を受信することと、ＦＭ信号に対応する１つ以上のパラメータを識別することと、を含む。それらのパラメータに基づき、ＦＭ復調器内のモジュールまたはブロック間の様々な接続は、ＦＭ信号を復調するために復調器によってサポートされる複数の復調モードのうちの１つを選択するように構成され得る。幾つかの例において、復調モード（例えば、復調アルゴリズム）は、位相微分モード（a phase differencing mode）、ＰＬＬモード、ＦＣＦモード、および／または直交検出器モード（a quadrature detector mode）を含むことができる。ＦＭ信号から識別されたパラメータは、ＦＭ信号の信号強度メトリック（例えば、ＳＮＲ、ＳＩＮＲ）、および／または世界の特定の国および／または地域でのＦＭ信号の送信のために使用される最大周波数偏差（a maximum frequency deviation）または帯域幅、を含むことができる。パラメータに基づき、ＦＭ復調器内の接続を構成するために１つ以上の信号（例えば、制御信号）が生成され得る。幾つかの例において、ＦＭ復調の動作は、パラメータのうちの１つがスレショルド値を突破する（breach a threshold value）（例えば、ＦＭ信号のＳＮＲが予め定義されたスレショルドを下回った）ときに１つの復調モードから別の復調モードに切り換わることができる。
【０００８】
[0008]  少なくとも一組の例示的な実施形態により、無線通信のための方法は、複数の復調モードをサポートする復調器において周波数変調（ＦＭ）信号を受信することと、ＦＭ信号に対応する１つ以上のパラメータを識別することと、１つ以上のパラメータに少なくとも部分的に基づいて、ＦＭ信号を復調するために複数の復調モードのうちの１つを選択するように復調器内の複数のモジュール間の接続を構成することと、を含むことができる。
【０００９】
[0009]  幾つかの例において、復調モードは、位相微分モード、位相同期ループ（ＰＬＬ）モード、周波数圧縮フィードバック（ＦＣＦ）モード、および直交検出器モードのうちの２つ以上を含むことができる。
【００１０】
[0010]  幾つかの例において、１つ以上のパラメータは、ＦＭ信号の信号強度メトリックおよびＦＭ信号の最大周波数偏差のうちの１つまたは両方を含むことができる。
【００１１】
[0011]  幾つかの例において、方法は、１つ以上のパラメータに少なくとも部分的に基づいて１つ以上の信号を生成することと、１つ以上の信号に少なくとも部分的に基づいてＦＭ信号を復調するために復調器内の複数のモジュール間の接続を構成することと、も含むことができる。
【００１２】
[0012]  幾つかの例において、方法は、１つ以上のパラメータのうちの１つをスレショルド値と比較することと、パラメータがスレショルド値を突破するときに復調モードの選択を切り換えることと、も含むことができる。
【００１３】
[0013]  幾つかの例において、複数の復調モードは、直交ＦＭモードを含むことができる。
【００１４】
[0014]  幾つかの例において、復調器内の複数のモジュール間の接続を構成することは、ＦＭ信号を復調するために位相微分モードを選択することと、ＦＭ信号を復調するために復調器内で信号処理経路を構成することであって、信号処理経路は、アークタンジェントモジュール（an arc tangent module）と位相微分器（a phase differentiator）とを含むことができることと、を含むことができる。
【００１５】
[0015]  幾つかの例において、復調器内の複数のモジュール間の接続を構成することは、ＦＭ信号を復調するためにＰＬＬモードを選択することと、ＦＭ信号を復調するために復調器内で信号処理経路を構成することであって、  信号処理経路は、位相弁別器（a phase discriminator）と、ＰＬＬループフィルタと、数値制御発振器（ＮＣＯ：a numerically-controlled oscillator）と、を含むことができることと、を含むことができる。
【００１６】
[0016]  幾つかの例において、復調器内の複数のモジュール間の接続を構成することは、ＦＭ信号を復調するためにＦＣＦモードを選択することと、ＦＭ信号を復調するために復調器内で信号処理経路を構成することであって、信号処理経路は、乗算器と、適応型チャネルフィルタと、アークタンジェントモジュールと、位相微分器と、数値制御発振器（ＮＣＯ）と、を含むことができることと、を含むことができる。
【００１７】
[0017]  少なくとも第２の組の例示的な実施形態により、無線通信のための装置は、複数の復調モードをサポートする復調器において周波数変調（ＦＭ）信号を受信するための手段と、ＦＭ信号に対応する１つ以上のパラメータを識別するための手段と、１つ以上のパラメータに少なくとも部分的に基づいて、ＦＭ信号を復調するために複数の復調モードのうちの１つを選択するように復調器内の複数のモジュール間の接続を構成するための手段と、を含むことができる。
【００１８】
[0018]  幾つかの例において、無線通信のための装置は、第１の組の例示的な実施形態に関して上述される方法の１つ以上の態様を実装することができる。例えば、装置は、第１の組の例示的な実施形態に関して上述される方法の１つ以上の態様を実装するための手段を含むことができる。
【００１９】
[0019]  少なくとも第３の組の例示的な実施形態により、無線通信のための装置は、プロセッサと、プロセッサと電子的な通信状態にあるメモリと、メモリに格納された命令と、を含むことができる。命令は、複数の復調モードをサポートする復調器において周波数変調（ＦＭ）信号を受信し、ＦＭ信号に対応する１つ以上のパラメータを識別し、および、１つ以上のパラメータに少なくとも部分的に基づいて、ＦＭ信号を復調するために複数の復調モードのうちの１つを選択するように復調器内の複数のモジュール間の接続を構成する、ためにプロセッサによって実行可能である。
【００２０】
[0020]  幾つかの例において、無線通信のための装置は、第１の組の例示的な実施形態に関して上述される方法の１つ以上の態様を実装することができる。例えば、メモリは、第１の組の例示的な実施形態に関して上述される方法の例のうちの１つ以上を実装するためにプロセッサによって実行可能な命令を格納することができる。
【００２１】
[0021]  少なくとも第４の組の例示的な実施形態により、無線通信のためのコンピュータプログラム製品は、非一時的なコンピュータ読み取り可能媒体を含むことができる。非一時的なコンピュータ読み取り可能媒体は、複数の復調モードをサポートする復調器において周波数変調（ＦＭ）信号を受信し、ＦＭ信号に対応する１つ以上のパラメータを識別し、および、１つ以上のパラメータに少なくとも部分的に基づいて、ＦＭ信号を復調するために複数の復調モードのうちの１つを選択するように復調器内の複数のモジュール間の接続を構成する、ためにプロセッサによって実行可能である命令を格納することができる。
【００２２】
[0022]  幾つかの例において、無線通信のためのコンピュータプログラム製品は、第１の組の例示的な実施形態に関して上述される方法の１つ以上の態様を実装することができる。例えば、非一時的なコンピュータ読み取り可能媒体は、第１の組の例示的な実施形態に関して上述される方法の例のうちの１つ以上を実装するためにプロセッサによって実行可能な命令を格納することができる。
【００２３】
[0023]  上記は、以下の詳細な説明をより良く理解できるようにするために本開示の例の特徴および技術的利点をかなりおおまかに概説している。追加の特徴および利点が以下において説明される。開示される概念および具体例は、本開示の同じ目的を実施するためにその他の構造を変更または設計するための基礎として容易に利用することができる。そのような同等の構造は、添付される請求項の範囲から逸脱するものではない。構成および動作方法の両方に関して、ここにおいて開示される概念の特徴を表していると確信されている特徴は、関連する利点とともに、添付されている図に関連して検討されたときにより良く理解されるであろう。それらの図の各々は、例示および説明のみを目的として提供されるものであり、請求項の限界を定めるものではない。
【図面の簡単な説明】
【００２４】
[0024]  以下の図面を参照することによって本開示の性質および利点に関するさらなる理解が実現されるであろう。添付される図において、同様のコンポーネントまたは特徴は、同じ参照ラベルを有することができる。さらに、同じタイプの様々なコンポーネントは、参照ラベル、ダッシュおよび同様のコンポーネントを区別する第２のラベルに従うことによって区別することができる。第１の参照ラベルのみが明細書において使用される場合は、説明は、第２の参照ラベルにかかわらず同じ第１の参照ラベルを有する同様のコンポーネントのうちのあらゆる１つに適用可能である。
【図１】[0025]  図１は、様々な実施形態によるＦＭブロードキャストの例を示した概略図を示す。
【図２】[0026]  図２は、様々な実施形態によるＦＭ受信機を有するデバイスの例を示した概略図を示す。
【図３】[0027]  図３は、様々な実施形態によるＦＭ受信機の例を示した概略図を示す。
【図４Ａ】[0028]  図４Ａは、様々な実施形態による適応型ＦＭ復調器の例を示した概略図を示す。
【図４Ｂ】[0029] 図４Ｂは、様々な実施形態による適応型ＦＭ復調器の構成の例を示した概略図を示す。
【図４Ｃ】[0030] 図４Ｃは、様々な実施形態による適応型ＦＭ復調器の構成の他の例を示した概略図を示す。
【図４Ｄ】[0031] 図４Ｄは、様々な実施形態による適応型ＦＭ復調器の構成のさらに他の例を示した概略図を示す。
【図５】[0032]  図５は、様々な実施形態による適応型ＦＭ復調器を構成するためのコントローラの例を示した概略図を示す。
【図６】[0033]  図６は、様々な実施形態によるＦＭブロードキャストを受信するためのデバイスの例を示したブロック図を示す。
【図７】[0034]  図７は、様々な実施形態によるＦＭ復調器を好適化する（adapting）ための方法の例のフローチャートである。
【図８】[0034]  図８は、様々な実施形態によるＦＭ復調器を好適化するための方法の例のフローチャートである。
【図９】[0034]  図９は、様々な実施形態によるＦＭ復調器を好適化するための方法の例のフローチャートである。
【詳細な説明】
【００２５】
[0035]  説明される実施形態は、ＦＭ復調器が広範な状況および動作状態に適する無線通信のための方法、デバイス、および装置を対象とする。ＦＭ復調器は、複数の復調モード（例えば、復調アルゴリズムまたは方式）をサポートすることができる。そのようなＦＭ復調器は、好適化可能なＦＭ復調器、一体化されたＦＭ復調器、または構成可能なＦＭ復調器と呼ぶことができる。例えば、それは、位相微分モード、ＰＬＬモード、および／またはＦＣＦモードをサポートすることができる。幾つかの例において、ＦＭ復調器は、その他の復調モード、例えば、直交検出器（例えば、直交検出器ＦＭ復調）をサポートすることができる。ＦＭ信号がいったん受信されると、そのＦＭ信号に対応する１つ以上のパラメータが識別または推定され得る（例えば、ＳＮＲまたはＳＩＮＲ、最大周波数偏差）。次に、ＦＭ信号パラメータのうちの１つ以上に基づいて、サポートされた復調モードのうちの１つを選択しおよび選択されたモードを用いてＦＭ信号を復調するためにＦＭ復調器の構成が好適化または変更され得る。
【００２６】
[0036]  ＦＭ復調器は、異なるＦＭ復調器、例えば、位相微分ＦＭ復調器、ＰＬＬに基づくＦＭ復調器、および／またはＦＣＦに基づくＦＭ復調器、のアーキテクチャからの特徴を結合または一体化することができる。結合または一体化された実装は、これらのアルゴリズムから実装されたＦＭ復調器が１つ以上の要素またはコンポーネントを共有することができるため、可能であることができる。その結果、適応型ＦＭ復調器は、ＰＬＬに基づくまたはＦＣＦに基づくＦＭ復調器にサイズの点で匹敵するが、位相微分に基づくＦＭ復調器に適する状態で動作することが可能である。
【００２７】
[0037]  適応型ＦＭ復調器のアーキテクチャは、好ましい復調動作モードを得るために構成可能である。復調器アーキテクチャを好適化または構成するために、ＦＭ信号から識別されたパラメータに従って複数の制御信号が生成される。例えば、ＳＮＲ／ＳＩＮＲが大きく、ＦＭ復調器が位相微分モードで動作するのが好ましいときには、ＦＭ復調器アーキテクチャの適切な内部構成を提供するように制御信号が調整され得る。同様に、ＳＮＲ／ＳＩＮＲが低下するかまたは低く、ＦＭ復調器がＰＬＬモードまたはＦＣＦモードで動作するのが好ましいときには、制御信号が適宜調整され得る。
【００２８】
[0038]  柔軟なまたは構成可能なアーキテクチャを有することによって、ＦＭ復調器は、例えば、ＰＬＬモード（すなわち、ＰＬＬに基づくＦＭ復調器構成）を使用することによって低ＳＮＲ／ＳＩＮＲ環境において良好な性能（すなわち、良好な受信機感度）、および、例えば、位相微分モード（すなわち、位相微分ＦＭ復調器構成）を使用することによって高ＳＮＲ／ＳＩＮＲ環境において小さい電力消費量、の両方を達成することができる。さらに、実装中のアルゴリズムは、共通のコンポーネント（例えば、処理モジュール、処理ブロック）を共有するため、単一の適応型ＦＭ復調器の全体的なシリコンエリアは、２つ以上のＦＭ復調器を別々に実装することと比較して低減され得る。
【００２９】
[0039]  無線通信のためのここにおいて説明される様々な技法は、ＦＭブロードキャストに関して、特に超短波（ＶＨＦ）ブロードキャストにおいて、説明される。しかしながら、ＶＨＦ以外のＦＭブロードキャストに関して、および／またはワイヤレスローカルエリアネットワーク（ＷＬＡＮ）またはＷｉ−Ｆｉネットワークを含む異なる無線通信ネットワークに関して同じまたは同様の技法が使用され得る。ＷＬＡＮまたはＷｉ−Ｆｉネットワークは、様々なＩＥＥＥ８０２．１１規格（例えば、ＩＥＥＥ８０２．１１ａ／ｇ、８０２．１１ｎ、８０２．１１ａｃ、８０２．１１ａｈ、等）において記述されるプロトコルに基づくネットワークを意味することができる。さらに、あらゆる無線ネットワーク（例えば、セルラーネットワーク）において同じまたは同様の技法が使用され得る。例えば、様々な無線通信システム、例えば、セルラーワイヤレスシステム、ピア・ツー・ピア無線通信、アドホックネットワーク、衛星通信システム、およびその他のシステム、に関して同じまたは同様の技法が使用され得る。用語“システム”および“ネットワーク”は、しばしば互換可能な形で使用される。これらの無線通信システムは、様々な無線通信技術、例えば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）、および／またはその他の無線技術、を採用することができる。概して、無線通信は、無線アクセス技術（ＲＡＴ）と呼ばれる１つ以上の無線通信技術の標準化された実装に従って実施される。無線アクセス技術を実装する無線通信システムまたはネットワークは、無線アクセスネットワーク（ＲＡＮ）と呼ばれ得る。
【００３０】
[0040]  ＣＤＭＡ技法を採用する無線アクセス技術の例は、ＣＤＭＡ２０００、ユニバーサル地上無線アクセス（ＵＴＲＡ）、等を含む。ＣＤＭＡ２０００は、ＩＳ−２０００規格、ＩＳ−９５規格、およびＩＳ−８５６規格を網羅する。ＩＳ−２０００リリース０およびＡは、ＣＤＭＡ２０００  １Ｘ、１Ｘ、等と共通して呼ばれる。ＩＳ−８５６（ＴＩＡ−８５６）は、ＣＤＭＡ２０００  １ｘＥＶ−ＤＯ、高レートパケットデータ（ＨＲＰＤ）、等と共通して呼ばれる。ＵＴＲＡは、ワイドバンドＣＤＭＡ（ＷＣＤＭＡ（登録商標））およびＣＤＭＡのその他の変形を含む。ＴＤＭＡシステムの例は、移動通信のためのグローバルシステム（ＧＳＭ（登録商標））の様々な実装を含む。ＯＦＤＭおよび／またはＯＦＤＭＡを採用する無線アクセス技術の例は、ウルトラ・モバイル・ブロードバンド（ＵＭＢ）、発展型ＵＴＲＡ（Ｅ−ＵＴＲＡ）、Ｗｉ−Ｆｉ、ＩＥＥＥ８０２．１６（ＷｉＭＡＸ）、ＩＥＥＥ８０２．２０、Ｆｌａｓｈ−ＯＦＤＭ、等を含む。ＵＴＲＡおよびＥ−ＵＴＲＡは、ユニバーサル移動通信システム（ＵＭＴＳ）の一部である。３ＧＰＰ（登録商標）  ロング・ターム・エボリューション（ＬＴＥ（登録商標））およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、“第３世代パートナーシッププロジェクト”（３ＧＰＰ）という名称の組織からの文書において説明されている。ＣＤＭＡ２０００およびＵＭＢは、“第３世代パートナーシッププロジェクト２”（３ＧＰＰ２）という名称の組織からの文書において説明されている。ここにおいて説明される技法は、上記のシステムおよび無線技術、およびその他のシステムおよび無線技術に関して使用され得る。
【００３１】
[0041]  従って、以下の説明は、例を提供するものであり、請求項において示される範囲、適用性、または構成を制限するものではない。本開示の精神および適用範囲から逸脱することなしに論じられている要素の機能および配備を変更することができる。様々な実施形態は、様々な手順またはコンポーネントを適宜省略、代替、または追加することができる。例えば、説明される方法は、説明される順序と異なる順序で実施され得、および、様々なステップが追加、省略、または結合され得る。さらに、幾つかの実施形態に関して説明される特徴は、その他の実施形態において結合され得る。
【００３２】
[0042]  図１を参照し、概略図１００は、１つ以上の端末、デバイス、または局１１５にＲＦ信号をブロードキャストする送信機１０５を例示する。ＲＦ信号１２５は、送信中のオーディオおよび／またはデータ信号によって周波数変調される搬送波を含む。周波数変調された搬送波に起因して、ＲＦ信号１２５は、ＦＭ信号またはＦＭブロードキャスト信号と呼ばれることもある。送信機１０５は、独立型のブロードキャストデバイスであることができ、または、異なるタイプの無線通信ネットワーク（例えば、セルラーネットワーク、ＷＬＡＮ）において使用される基地局またはアクセスポイントの一部であることができる。幾つかの実施形態において、送信機１０５は、ＶＨＦ（例えば、バンド８）でＦＭブロードキャストを行うように構成され得る。その他の実施形態においては、送信機１０５は、その他のバンドでＦＭサウンド・ブロードキャストを行うように構成され得る。
【００３３】
[0043]  送信機１０５は、モノラル送信および／またはステレオ送信を行うように構成され得る。モノラル送信に関して、ＲＦ信号は、送信中のサウンド信号のプリエンファシス（preemphasis）後にそのサウンド信号によって周波数変調される搬送波を含む。ＲＦ信号の最大周波数偏差は、送信の国および／または送信の地域に依存する。例えば、最大周波数偏差に関する要求は、米国および西欧諸国では±７５ｋＨｚであることができ、他方、幾つかの東欧諸国の場合は、最大周波数偏差に関する要求は、±５０ｋＨｚであることができる。単純化を目的として、以後は、±７５ｋＨｚまたは±５０ｋＨｚの最大周波数偏差は、７５ｋＨｚまたは５０ｋＨｚの最大周波数偏差とそれぞれ呼ぶことができる。
【００３４】
[0044]  ステレオ送信に関しては、ポーラ変調システム（a polar-modulation system）またはパイロットトーンシステムが使用され得る。両方のシステムにおいて、ＲＦ信号は、ベースバンド信号によって周波数変調される搬送波から成ることができ、ステレオ多重化信号と呼ぶことができる。これらのシステムの各々における最大周波数偏差に関する要求は、米国および西欧諸国では７５ｋＨｚ、幾つかの東欧諸国では５０ｋＨｚであることができる。
【００３５】
[0045]  送信機１０５が基地局またはアクセスポイントの一部であるときには、局１１５のうちの１つ以上は、基地局またはアクセスポイントによってサポートされる無線通信ネットワーク（例えば、セルラーネットワーク、ＷＬＡＮ）と双方向で通信するように構成され得る。
【００３６】
[0046]  送信機１０５は、特定の国または地域で動作するように構成され得、および、その国または地域に対応する最大周波数偏差または帯域幅を用いてＲＦ信号送信をサポートし得る。しかしながら、局１１５は、１つ以上の最大周波数偏差をサポートするように構成され（すなわち、異なる諸国または地域での使用のために構成され）得、および、いずれの帯域幅が送信機１０５によってサポートされるかを識別してそれの動作を適宜好適化する（例えば、ＦＭ受信機内のチャネルフィルタの係数を好適化する）ことができ得る。
【００３７】
[0047]  局１１５は、移動局および／または静止局であることができ、および、分散させることまたは送信機１０５のカバレッジエリア１２０内に配備することができる。局１１５が移動局であるときには、無線局（ＳＴＡ）、ワイヤレスデバイス、または無線端末と呼ぶこともできる。局１１５は、オーディオおよび／またはデータ信号を得るために送信機１０５によってブロードキャストされたＲＦ信号１２５を受信するようにおよびそれらの信号を処理（例えば、復調）するように構成され得る。
【００３８】
[0048]  局１１５のうちの１つ以上は、複数の復調モード（例えば、アルゴリズム、方式）をサポートすることができ、および、それらのモードのうちの１つを現在の動作状態に適するモードとして選択するように構成され得る。幾つかの実施形態において、局は、位相微分復調モード、ＰＬＬに基づく復調モード、ＦＣＦに基づく復調モード、および／または直交検出器復調モードをサポートすることができる。局は、それらのモードのうちの１つにおいて動作し、ある一定の動作状態が満たされたときに（ＲＦ信号の強度の変化）、別のモードに切り換わることができる。以下において説明される図２乃至９は、複数の復調モードをサポートするために適応型ＦＭ復調器が使用される局１１５を有することの様々な態様に関する追加の詳細を提供する。
【００３９】
[0049]  図２は、送信機１０５−ａがオーディオおよび／またはデータ情報を有するＲＦ信号１２５−ａを局１１５−ａにブロードキャストする概略図２００を示す。送信は、送信機１０５−ａが位置する国または地域に関する特定の最大周波数偏差または帯域幅に基づく。送信機１０５−ａは、図１の送信機１０５の例であり、局１１５−ａは、同じく図１の局１１５の例である。
【００４０】
[0050]  局１１５−ａは、ＦＭ受信機２１０（例えば、デジタルＦＭ受信機）の一部分を好適化することによってオーディオおよび／またはデータ情報を得るためにＲＦ信号１２５−ａを処理するように構成され得る当該ＦＭ受信機２１０を含むことができる。幾つかの例において、ＦＭ受信機２１０の好適化は、ＲＦ信号１２５−ａの送信のために使用中の特定の最大周波数偏差におよび／またはＲＦ信号１２５−ａの信号強度メトリック（例えば、ＳＮＲ、ＳＩＮＲ）に基づく。ＲＦ信号１２５−ａの処理は、チャネルフィルタリング動作と復調動作とを含むことができ、当該動作は、局１１５−ａ内のオーディオ復号器（示されていない）および／または無線データシステム（ＲＤＳ）または無線ブロードキャストデータシステム（ＲＢＤＳ）復号器（示されていない）に関する信号を生成するために使用される。
【００４１】
[0051]  チャネルフィルタリング動作は、ＲＦ信号１２５−ａの送信のために使用中の最大周波数偏差に依存することができる。チャネルフィルタリング動作において使用される帯域幅が送信帯域幅と異なるときには、それは準最適なチャネルフィルタリングをもたらし、ＦＭ受信機２１０は、フィルタリング性能を向上させるために送信帯域幅と同じまたは同様になるようにチャネルフィルタリング動作帯域幅を変更するように構成され得る。
【００４２】
[0052]  チャネルフィルタリング動作の一例において、局１１５−ａは、５０ｋＨｚ、７５ｋＨｚ、および１００ｋＨｚ（および、受信機感度試験の場合は２２．５ｋＨｚ）の最大周波数偏差をサポートするように（動作中におよび／または製造中に）構成され得る。局１１５−ａは、デフォルトのまたは初期の帯域幅値を有するようにも構成され得る。この例において、サポートされる初期の帯域幅は５０ｋＨｚである。送信機１０５−ａは、７５ｋＨｚの最大周波数偏差を用いてＲＦ信号１２５−ａを送信することができる。局１１５−ａが５０ｋＨｚでそれのチャネルフィルタリング動作を行った場合は、フィルタリング性能は準最適であろう。代わりに、局１１５−ａは、ＲＦ信号１２５−ａの送信のために使用中の最大周波数偏差を識別（例えば、推定）することができ、フィルタリング性能を向上させるために識別された最大周波数偏差によりチャネルフィルタリング動作を変更する（例えば、フィルタ係数を変更する）ことができる。この例において、局１１５−ａは、送信機１０５−ａによるＲＦ信号１２５−ａの送信のために使用中のものと同様な７５ｋＨｚの最大周波数偏差、をサポートするようにそれの動作を調整することができる。
【００４３】
[0053]  チャネルフィルタリング動作の他の例において、局１１５−ａは、
５０ｋＨｚ、７５ｋＨｚ、および１００ｋＨｚ（および、受信機感度試験の場合は２２．５ｋＨｚ）の最大周波数偏差をサポートするように（動作中におよび／または製造中に）構成され得る。局１１５−ａは、デフォルトのまたは初期の帯域幅値を有するように構成され得る。この例において、サポートされる初期の帯域幅は５０ｋＨｚである。送信機１０５−ａは、６０ｋＨｚの最大周波数偏差を用いてＲＦ信号１２５−ａを送信することができる。局１１５−ａが５０ｋＨｚでそれのチャネルフィルタリング動作を行った場合は、フィルタリング性能は準最適であろう。代わりに、局１１５−ａは、ＲＦ信号１２５−ａの送信のために使用中の最大周波数偏差を識別（例えば、推定）することができ、フィルタリング性能を向上させるために識別された最大周波数偏差によりチャネルフィルタリング動作を変更する（例えば、フィルタ係数を変更する）ことができる。この例において、局１１５−ａは、６０ｋＨｚをサポートせず、５０ｋＨｚおよび７５ｋＨｚをサポートする。局１１５−ａはそして、５０ｋＨｚに基づいてそれのチャネルフィルタリング動作を継続すべきかどうか、またはそれのチャネルフィルタリング動作を７５ｋＨｚに好適化することが性能を向上させることができ得るかどうか、を決定し得る。幾つかの事例において、局１１５−ａは、送信機１０５−ａによって使用中の６０ｋＨｚに関してほぼ最適であるチャネルフィルタリング性能を生み出すために５０ｋＨｚ動作または６０ｋＨｚ動作を変更するように構成され得る。
【００４４】
[0054]  上記のように、復調動作は、ＲＦ信号１２５−ａの送信のために使用中の最大周波数偏差に、および／またはＲＦ信号１２５−ａの信号強度メトリックに、依存することができる。例えば、ＲＦ信号１２５−ａのＳＮＲ／ＳＩＮＲが大きく（例えば、スレショルド値よりも大きい）、復調動作が位相微分モードを使用するのが望ましい可能性があるときは、ＦＭ受信機２１０は、位相微分モードに基づいて復調を行うために適切な内部構成を提供するように調整され得る。同様に、ＲＦ信号１２５−ａのＳＮＲ／ＳＩＮＲが低下するかまたは低く（例えば、スレショルド値よりも小さい）、ＦＭ受信機２１０がＰＬＬモードまたはＦＣＦモードで動作するのが好ましい可能性があるときには、ＦＭ受信機２１０は、それらのモードのうちの１つに基づいて復調を行うために適切な内部構成を提供するように調整され得る。さらに、最大周波数偏差に関してある特定のモードがより適切であり得、ＦＭ受信機２１０は適宜調整または好適化され得る。
【００４５】
[0055]  図２に関して上述される例は、例示を目的として提供され、限定するものではない。局１１５−ａ、および類似のデバイスは、上述されるものよりも、より多いまたはより少ない最大周波数偏差、および／またはより多いまたはより少ない復調モードをサポートすることができる。複数の復調モード（例えば、アルゴリズム、方式）を取り扱うためにＦＭ復調器の内部構成を好適化することの様々な態様に関する追加の詳細が以下において図３乃至９に関して提供される。
【００４６】
[0056]  図３を参照し、図２のＦＭ受信機２１０の例であることができるＦＭ受信機２１０−ａを含む概略図３００が示される。ＦＭ受信機２１０−ａは、ＲＦ回路３１０と、アナログ−デジタル変換器（ＡＤＣ）３１５と、信号処理モジュール３２０と、ＦＭ復調器３３０と、を含むことができる。ＦＭ受信機２１０−ａは、最大周波数偏差推定器３３５と、チャネルフィルタマッパ３４０と、コントローラ３５０と、信号強度推定器３６０と、ループフィルタマッパ３６５と、も含むことができる。
【００４７】
[0057]  ＦＭ受信機２１０−ａは、オーディオおよび／またはデータ情報を有するＲＦ信号を受信するように、およびＲＦ回路３１０、ＡＤＣ３１５、および信号処理モジュール３２０を用いてそれらの信号のフロントエンド処理を行うように構成され得る。例えば、信号処理モジュール３２０は、フロントエンドフィルタリングおよび／またはＤＣオフセット、スパー（ｓｐｕｒ）、および／または同相／直交（Ｉ／Ｑ）不均衡の除去を行うように構成され得る。
【００４８】
[0058]  チャネルフィルタ３２５は、受信されたＲＦ信号から帯域外雑音（ｏｕｔ−ｏｆ−ｂａｎｄ  ｎｏｉｓｅ）をフィルタリングするように構成され得る。チャネルフィルタ３２５は、好適化可能または構成可能である。例えば、チャネルフィルタ３２５は、フィルタリング動作を定義するフィルタ係数を使用することができ、および、それらのフィルタ係数は、ＦＭ受信機２１０−ａによって受信されたＲＦ信号に関連する最大周波数偏差に少なくとも部分的に基づいてフィルタマッパ３４０によって好適化、調整、変更、または修正され得る。
【００４９】
[0059]  ＦＭ復調器３３０は、ＲＦ信号を復調するように構成され得る。ＦＭ復調器３３０は、複数の復調モード（例えば、アルゴリズム、方式）をサポートすることができ、および、現在の動作状態に少なくとも部分的に基づいて当該モードのうちの１つを選択するように構成され得る。ＦＭ復調器３３０は、例えば、位相微分復調モード、ＰＬＬに基づく復調モード、ＦＣＦに基づく復調モード、および／または直交検出器復調モードをサポートすることができる。
【００５０】
[0060]  ＦＭ復調器３３０は、チャネルフィルタ（示されていない）と、ＰＬＬループフィルタ（示されていない）と、を含むことができる。チャネルフィルタおよびＰＬループフィルタの例が以下において図４Ａに関して説明される。チャネルフィルタは、ＦＭ受信機２１０−ａによって受信されたＲＦ信号の帯域外雑音をフィルタリングするために使用され得る。チャネルフィルタは、フィルタリング動作を定義するフィルタ係数を使用することができ、および、それらのフィルタ係数は、最大周波数偏差推定器３３５によって生成された最大周波数偏差推定値に少なくとも部分的に基づいてチャネルフィルタマッパ３４０によって好適化、調整、変更、または修正されることができる。ＰＬＬループフィルタは、ＦＭ受信機２１０−ａによって受信された信号を復調するためにＰＬＬに基づく復調モードが選択されたときには該モードの一部として使用されることができる。ＰＬＬループフィルタは、フィルタリング動作を定義するフィルタ係数を使用することができ、および、それらのフィルタ係数は、信号強度推定器３６０によって生成されたＲＦ信号強度推定値に少なくとも部分的に基づいてループフィルタマッパ３６５によって好適化、調整、変更、または修正され得る。
【００５１】
[0061]  ＦＭ復調器３３０の出力は、さらなる処理のためにオーディオ復号器（示されていない）および／またはＲＤＳまたはＲＢＤＳ復号器（示されていない）に提供され得る。ＦＭ復調器３３０の出力は、最大周波数偏差推定器３３５にも提供され得、当該最大周波数偏差推定器３３５は、少なくとも最大周波数偏差を推定するように、およびチャネルフィルタマッパ３４０に推定値を提供するように、構成され得る。幾つかの実施形態において、最大周波数偏差推定器３３５は、ＦＭ復調器３３０の出力から最大周波数偏差推定値を推定するように、およびチャネルフィルタマッパ３４０に誤差推定値を提供するように、構成され得る。最大周波数偏差推定器３３５は、時間領域においておよび／または周波数領域において最大周波数偏差を推定するように構成され得る。
【００５２】
[0062]   チャネルフィルタマッパ３４０は、ＦＭ復調器３３０内のチャネルフィルタに適用するための一組の（フィルタ）係数を識別するように構成され得る。フィルタ係数のその組は、最大周波数偏差推定器３３５からの最大周波数偏差推定値に少なくとも基づいて識別され得る。幾つかの例において、チャネルフィルタマッパ３４０は、最大周波数偏差推定器３３５によって提供されたときには最大周波数偏差推定値の分散（variance）を考慮に入れることもできる。チャネルフィルタマッパ３４０は、メモリ内（例えば、ルックアップテーブル（ＬＵＴ）内）において利用可能な複数の組から一組の係数を選択するために最大周波数偏差推定値（および分散）を使用することができる。メモリ内において利用可能な組の各々は、特定の最大周波数偏差に対応することができ、および、予め定義され（例えば、オフラインで計算され）得る。最大周波数偏差推定値がある特定の組に対応する最大周波数偏差と同じまたは近似であるときにはＦＭ復調器３３０内のチャネルフィルタへの適用のためにその特定の組が選択され得る。
【００５３】
[0063]  チャネルフィルタマッパ３４０は、一組内の１つ以上の係数の値を変更するように構成され得る。例えば、メモリ内において利用可能な組の数は制限され得、最大周波数偏差推定器３３５によって推定される最大周波数偏差は、利用可能な組のうちのいずれにも直接対応することができない。この場合は、チャネルフィルタマッパ３４０は、当該組のうちの１つ（例えば、推定値に最も近い対応する最大周波数偏差を有する１つ）を選択することができ、および、ＦＭ復調器３３０内のチャネルフィルタにその組を適用することができる。他の例において、チャネルフィルタマッパ３４０は、代わりに、変更された組の性能が最大周波数偏差推定器３３５によって推定される最大周波数偏差に関して最適であるかまたはほぼ最適であるように、選択された組内の係数のうちの１つ以上の値を変更することができる。チャネルフィルタマッパ３４０は、一組内の係数のうちの１つ以上の値を調整または好適化するために、勾配降下に基づく最適化（a gradient descent-based optimization）、または何らかのその他の１次またはより高次の最適化アルゴリズム（first-order or higher-order optimization algorithm）を実施するように構成され得る。
【００５４】
[0064]  ループフィルタマッパ３６５は、ＦＭ復調器３３０内のＰＬＬループフィルタに適用するための一組の（フィルタ）係数を識別するように構成され得る。フィルタ係数のその組は、信号強度推定器３６０からのＳＩＮＲ（またはＳＮＲ）推定値に少なくとも部分的に基づいて識別され得る。ループフィルタマッパ３６５は、メモリ内（例えば、ＬＵＴ内）において利用可能な複数の組から一組の係数を選択するためにＳＩＮＲ推定値を使用することができる。メモリ内において利用可能な組の各々は、特定のＳＩＮＲに対応することができ、および、予め定義され（例えば、オフラインで計算され）得る。ＳＩＮＲ推定値がある特定の組に対応するＳＩＮＲと同じまたは近似であるときにはＦＭ復調器３３０内のＰＬＬループフィルタへの適用のためにその特定の組が選択され得る。
【００５５】
[0065]  ループフィルタマッパ３６５は、一組内の１つ以上の係数の値を変更するように構成され得る。例えば、メモリ内において利用可能な組の数は制限され得、信号強度推定器３６０によって推定されるＳＩＮＲは、利用可能な組のうちのいずれにも直接対応することができない。この場合は、ループフィルタマッパ３６５は、当該組のうちの１つ（例えば、推定値に最も近い対応するＳＩＮＲを有する１つ）を選択することができ、および、ＦＭ復調器３３０内のＰＬＬループフィルタにその組を適用することができる。他の例において、ループフィルタマッパ３６５は、代わりに、変更された組の性能が信号強度推定器３６０によって推定されるＳＩＮＲに関して最適であるかまたはほぼ最適であるように、選択された組内の係数のうちの１つ以上の値を変更することができる。ループフィルタマッパ３６５は、一組内の係数のうちの１つ以上の値を調整または好適化するために、勾配降下に基づく最適化、または何らかのその他の１次またはより高次の最適化アルゴリズムを実施するように構成され得る。
【００５６】
[0066]  コントローラ３５０は、ＦＭ復調器３３０の動作上の特徴を制御および／または選択するように構成され得る。コントローラ３５０は、最大周波数偏差推定器３３５、チャネルフィルタマッパ３４０、信号強度推定器３６０、および／またはループフィルタマッパ３６５の動作上の特徴を制御および／または選択するようにも構成され得る。
【００５７】
[0067]  コントローラ３５０は、信号処理モジュール３２０によって生成される信号を復調するために選択するためのＦＭ復調器３３０によってサポートされる復調モードのうちのいずれかを決定するためにＦＭ復調器２１０−ａによって受信された信号に関連するパラメータを識別してそれらのパラメータを使用するために使用され得る。例えば、信号強度推定器３６０からのＳＩＮＲ（またはＳＮＲ）が大きく（例えば、スレショルド値よりも大きい）、ＦＭ復調器３３０が位相微分モードで動作するのが好ましい可能性があるときには、コントローラ３５０は、位相微分モードで動作するようにＦＭ復調器３３０の内部構成を調整することができる１つ以上の制御信号３５５を生成することができる。同様に、信号強度推定器３６０からのＳＩＮＲ（またはＳＮＲ）が低下するかまたは低く（例えば、スレショルド値よりも小さい）、ＦＭ復調器３３０がＰＬＬ復調モードまたはＦＣＦ復調モードで動作するのが好ましい可能性があるときには、コントローラ３５０は、ＦＭ復調器３３０の内部構成を適宜調整することができる１つ以上の制御信号３５５を生成することができる。
【００５８】
[0068]  コントローラ３５０は、信号処理モジュール３２０によって生成される信号を復調するために選択するためのＦＭ復調器３３０によってサポートされる復調モードのうちのいずれかを決定するために最大周波数偏差推定器３３５によって生成された最大周波数偏差推定値を使用することもできる。例えば、復調モードのうちの１つ以上は、ある特定の最大周波数偏差推定値に適することができ、コントローラ３５０は、ＦＭ復調器３３０の内部構成を適宜制御するように構成され得る。
【００５９】
[0069]  図４Ａにおいて、図３のＦＭ復調器３３０の例であることができるＦＭ復調器３３０−ａを含む概略図４００が示される。ＦＭ復調器３３０−ａは、正規化器（a normalizer）４１０と、乗算器４２０と、適応型チャネルフィルタ４３０と、第１のスイッチまたは選択器（selector）４４０と、アークタンジェント（an arctangent）（ＡＴＡＮ）モジュール４５０と、位相微分器（a phase differentiator）４６０と、ＰＬＬループフィルタ４７０と、第２のスイッチまたは選択器４８０と、数値制御発振器（ＮＣＯ）４９０と、を含むことができる。
【００６０】
[0070]  適応型チャネルフィルタ４３０は、図３に関して上述されるＦＭ復調器３３０内のチャネルフィルタの例であることができる。同様に、ＰＬＬループフィルタ４７０は、図３に関して上述されるＦＭ復調器内のＰＬＬループフィルタの例であることができる。適応型チャネルフィルタ４３０は、例えば、チャネルフィルタマッパ３４０からフィルタ係数を受信することができ、ＰＬＬループフィルタ４７０は、例えば、ループフィルタマッパ３６５からフィルタ係数を受信することができる。
【００６１】
[0071]  第１のスイッチ４４０は、ＡＴＡＮモジュール４５０への入力として提供するために、正規化器４１０の出力、乗算器４２０の出力、および適応型チャネルフィルタ４３０の出力のうちの１つを選択するように構成され得る。この点に関して、第１のスイッチ４４０は、図３のコントローラ３５０によって生成される１つ以上の制御信号３５５の例であることができる制御信号（制御１）を受信することができる。第２のスイッチ４８０は、位相微分器４６０の出力およびＰＬＬループフィルタ４６０の出力のうちの１つをＦＭ復調器３３０−ａの出力として選択するように構成され得る。この点に関して、第２のスイッチ４８０は、図３のコントローラ３５０によって生成される１つ以上の制御信号３５５の例であることができる制御信号（制御２）を受信することができる。第１のスイッチ４４０および第２のスイッチ４８０とともに使用される制御信号に少なくとも部分的に基づいて、ＦＭ復調器３３０−ａのモジュールまたはコンポーネント間の内部接続（例えば、内部構成）は、ＦＭ復調器３３０によってサポートされる様々な復調モードのうちの１つを選択するように調整され得る。図４Ｂ−４Ｃは、異なる復調モードを実装するために第１のスイッチ４４０および第２のスイッチ４８０を用いた内部接続の例について説明する。
【００６２】
[0072]  図４Ｂを参照し、位相微分復調モードで構成されたＦＭ復調器３３０−ａを例示した概略図４００−ａが示される。この実施形態において、制御１は、正規化器４１０の出力をＡＴＡＮモジュール４５０への入力として選択するために使用され、制御２は、位相微分器４６０の出力をＦＭ復調器３３０−ａの出力として選択するために使用される。従って、位相微分復調モードで動作するように構成されるときには、ＦＭ復調器３３０の処理経路は、第１のスイッチ４４０を通じてＡＴＡＮモジュール４５０と通信状態にある正規化器４１０と、位相微分器４６０と通信状態にあるＡＴＡＮモジュール４５０と、第２のスイッチ４８０を通じてのＦＭ復調器３３０−ａの出力である位相微分器４６０の出力と、を含むことができる。
【００６３】
[0073]  図４Ｃは、ＰＬＬに基づく復調モードで構成されたＦＭ復調器３３０−ａを例示した概略図４００−ｂを示す。この実施形態において、制御１は、乗算器４２０の出力をＡＴＡＮモジュール４５０への入力として選択するために使用され、制御２は、ＰＬＬループフィルタ４７０の出力をＦＭ復調器３３０−ａの出力として選択するために使用される。従って、ＰＬＬに基づく復調モードで動作するように構成されるときには、ＦＭ復調器３３０の処理経路は、乗算器４２０と通信状態にある正規化器４１０と、第１のスイッチ４４０を通じてＡＴＡＮモジュール４５０と通信状態にある乗算器４２０と、ＰＬＬループフィルタ４７０と通信状態にあるＡＴＡＮモジュール４５０と、第２のスイッチ４８０を通じてＮＣＯ４９０と通信状態にあるＰＬＬループフィルタ４７０と、乗算器４２０と通信状態にあるＮＣＯ４９０と、を含むことができる。この構成において、ＰＬＬループフィルタ４７０の出力は、第２のスイッチ４８０を通じてのＦＭ復調器３３０−ａの出力である。
【００６４】
[0074]  乗算器４２０およびＡＴＡＮモジュール４５０は、位相弁別器（a phase discriminator）を構成することができる。当業者は、位相弁別が様々な方法で行われることを認識するであろう。例えば、位相弁別は、乗算器、および乗算器出力信号の虚数部を抽出するように構成されたモジュールを用いて行われ得る。
【００６５】
[0075]  図４Ｄを参照し、ＦＣＦに基づく復調モードで構成されたＦＭ復調器３３０−ａを例示した概略図４００−ｃが示される。この実施形態において、制御１は、適応型チャネルフィルタ４３０の出力をＡＴＡＮモジュール４５０への入力として選択するために使用され、制御２は、位相微分器４６０の出力をＦＭ復調器３３０−ａの出力として選択するために使用される。従って、ＦＣＦに基づく復調モードで動作するように構成されるときには、ＦＭ復調器３３０の処理経路は、乗算器４２０と通信状態にある正規化器４１０と、適応型チャネルフィルタ４３０と通信状態にある乗算器４２０と、第１のスイッチ４４０を通じてＡＴＡＮモジュール４５０と通信状態にある適応型チャネルフィルタ４３０と、位相微分器４６０と通信状態にあるＡＴＡＮモジュール４５０と、第２のスイッチ４８０を通じてＮＣＯ４９０と通信状態にある位相微分器４６０と、乗算器４２０と通信状態にあるＮＣＯ４９０と、を含むことができる。この構成において、位相微分器４６０の出力は、第２のスイッチ４８０を通じてのＦＭ復調器３３０−ａの出力である。
【００６６】
[0076]  上記の図４Ｂ乃至４Ｄにおける例は、限定するものではなく、例示を目的として提供される。それらの例における構成は、上述されるものとは異なる復調アルゴリズムまたは方式をサポートすることもできる。例えば、幾つかの構成は、正規化器を含むことができない。複数の復調モードのうちの１つを選択するためにＦＭ復調器３３０−ａのモジュール間またはコンポーネント間の接続を構成するその他の実装も可能である。
【００６７】
[0077]  図５は、図３のコントローラ３５０の例であることができるコントローラ３５０−ａを含む概略図５００を示す。コントローラ３５０−ａは、パラメータ識別器（a parameter identifier）５１０と、モード選択器（a mode selector）５３０と、を含むことができる。パラメータ識別器５１０は、比較器５２０を含むことができ、モード選択器５３０は、制御信号生成器５４０を含むことができる。
【００６８】
[0078]  パラメータ識別器５１０は、ＦＭ受信機（例えば、ＦＭ受信機２１０）によって受信されたＦＭ信号に対応する１つ以上のパラメータ（例えば、最大周波数偏差、ＳＮＲ／ＳＩＮＲ）を識別するように構成され得る。比較器５２０は、動作状態に基づいて復調モードの変更が必要であるかどうかを決定するために、識別されたパラメータのうちの１つ以上を予め定義されたスレショルド値と比較するように構成され得る。例えば、比較器５２０は、ＳＮＲまたはＳＩＮＲ推定値がスレショルド値よりも大きいかまたは小さいかを決定するために、ＳＮＲまたはＳＩＮＲ推定値をスレショルド値と比較することができる。幾つかの実施形態において、ＳＮＲまたはＳＩＮＲ推定値は、２つ以上のスレショルド値と比較され得る。
【００６９】
[0079]  モード選択器５３０は、パラメータ識別器５１０によって識別されたパラメータに少なくとも部分的に基づいて複数のサポートされる復調モードから復調モードを選択するように構成され得る。モード選択器５３０は、ＳＮＲまたはＳＩＮＲ推定値がスレショルド値よりも大きいことを比較器５２０が示すときに復調モードを選択することができ、ＳＮＲまたはＳＩＮＲ推定値が同じスレショルド値よりも小さい（または別のスレショルドよりも小さい）ことを比較器５２０が示すときには異なる復調モードを選択することができる。モード選択器５３０は、最大周波数偏差推定値に基づいて復調モードを選択することもできる。モード選択器５３０は、復調モードを選択するためにＳＮＲまたはＳＩＮＲ推定値および最大周波数偏差推定値の両方を使用することができる。
【００７０】
[0080]  制御信号生成器５４０は、ＦＭ復調器（例えば、ＦＭ復調器３３０）によってサポートされる複数の復調モードのうちの１つを選択するためにＦＭ復調器内のモジュール間またはコンポーネント間の接続を構成するための１つ以上の制御信号（例えば、制御信号３５５、制御１、制御２）を生成するように構成され得る。
【００７１】
[0081]  図６は、ＲＦブロードキャスト信号（例えば、オーディオおよび／またはデータ信号）を受信し、複数の復調モードをサポートするように構成された適応型ＦＭ復調器を用いてそれらの信号を処理するように構成された端末または局１１５−ｂを例示した概略図６００を示す。局１１５−ｂは、様々なその他の構成を有することができ、および、パーソナル・コンピュータ（例えば、ラップトップコンピュータ、ネットブックコンピュータ、タブレットコンピュータ、等）、携帯電話、ＰＤＡ、デジタルビデオレコーダ（ＤＶＲ）、インターネット機器、ゲームプレイコンソール、電子リーダー、等、に含められることまたはそれらの一部であることができる。局１１５−ｂは、モバイル操作（mobile operation）を容易にするための内部電源（示されていない）、例えば、小型バッテリ、を有することができる。局１１５−ｂは、図１および／または２の局１１５および１１５−ａの例であることができる。局１１５−ｂは、図１乃至５に関して上述される特徴および機能のうちの少なくとも一部を実装するように構成され得る。
【００７２】
[0082]  局１１５−ｂは、プロセッサ６１０と、メモリ６２０と、トランシーバ６４０と、アンテナ６５０と、を含むことができる。トランシーバ６４０は、送信機６４２と、受信機６４４と、を含むことができる。受信機６４４は、図２および／または３のＦＭ受信機２１０および２１０−ａの例であることができる。これらのコンポーネントの各々は、１つ以上のバス６１５を通じて、互いに、直接または間接的に通信状態にあることができる。
【００７３】
[0083]  メモリ６２０は、ランダムアクセスメモリ（ＲＡＭ）と、読み取り専用メモリ（ＲＯＭ）と、を含むことができる。メモリ６２０は、実行されたときに、局１１５−ｂによってサポートされる複数の復調モードのうちの１つを用いてＦＭブロードキャスト信号の無線通信および／または処理を取り扱うためにここにおいて説明される様々な機能を実行することをプロセッサ６１０に行わせるように構成される命令を含んでいるコンピュータ読み取り可能な、コンピュータ実行可能なソフトウェア（ＳＷ）コード６２５を格納することができる。代替として、ソフトウェアコード６２５はプロセッサ６１０によって直接実行可能でないことがあり、（コンパイルされて実行されたときに）ここにおいて説明される機能を実行することをコンピュータに行わせるように構成され得る。
【００７４】
[0084]  プロセッサ６１０は、インテリジェントなハードウェアデバイス、例えば、中央処理装置（ＣＰＵ）、マイクロコントローラ、ＡＳＩＣ、等、を含むことができる。プロセッサ６１０は、（例えば、受信機６４４を介して）トランシーバ６４０を通じて受信された情報を処理することができる。プロセッサ６１０は、（例えば、送信機６４２を介しての）アンテナ６５０を通じての送信のためにトランシーバ６４０に送信される情報を処理することができる。プロセッサ６１０は、単独でまたは局１１５−ｂのその他のコンポーネントと関連して、局１１５−ｂによってサポートされる複数の復調モードのうちの１つを用いたＦＭブロードキャスト信号の無線通信および／または処理を取り扱うための様々な態様を取り扱うことができる。
【００７５】
[0085]  トランシーバ６４０は、送信機（例えば、送信機１０５）からＲＦ信号を受信するように構成され得る。さらに、トランシーバ６４０は、基地局、アクセスポイント、またはその他の同様のネットワークデバイスと双方向で通信するように構成され得る。トランシーバ６４０は、１つ以上の送信機および１つ以上の別々の受信機として実装され得る。上述されるように、この例におけるトランシーバ６４０は、送信機６４２と受信機６４４とを含むとして示されている。トランシーバ６４０は、ＷＬＡＮまたはＷｉ−Ｆｉネットワークとの通信、および／またはセルラーネットワークとの通信をサポートすることができる。トランシーバ６４０は、パケットを変調して変調されたパケットを送信のためにアンテナ６５０に提供するように構成され、および、アンテナ６５０から受信されたパケットを復調するように構成されたモデムを含むことができる（例えば、ＦＭ復調器３３０、３３０−ａ）。
【００７６】
[0086]  図６のアーキテクチャにより、局１１５−ｂは、通信マネージャ６３０をさらに含むことができる。通信マネージャ６３０は、様々なネットワークデバイス（例えば、基地局、アクセスポイント）との通信および／またはＦＭ送信機（例えば、送信機１０５）からのＦＭブロードキャストの受信を管理することができる。通信マネージャ６３０は、１つ以上のバス６１５を通じて局１１５−ｂのその他のコンポーネントの一部または全部と通信状態にある局１１５−ｂのコンポーネントであることができる。代替として、通信マネージャ６３０の機能は、トランシーバ６４０のコンポーネントとして、コンピュータプログラム製品として、および／またはプロセッサ６１０の１つ以上のコントローラ要素として実装され得る。
【００７７】
[0087]  図７は、複数のモードをサポートする適応型ＦＭ復調器が使用される無線通信のための方法７００の例を示したフローチャートである。明確化を目的として、方法７００は、以下においては、図１、２、３、４Ａ、４Ｂ、４Ｃ、４Ｄ、５、および／または６において示される局、受信機、復調器、デバイス、およびモジュールのうちの１つに関して説明される。一実施形態において、複数の局のうちの１つは、後述される機能を実行するために局の機能要素を制御するための１つ以上の組のコードを実行することができる。
【００７８】
[0088]  ブロック７０５において、ＦＭ信号は、複数の復調モード（例えば、図４Ｂ、４Ｃ、および４Ｄの構成）をサポートする復調器（例えば、ＦＭ復調器３３０、３３０−ａ）において受信される。
【００７９】
[0089]  ブロック７１０において、ＦＭ信号に対応する１つ以上のパラメータは、（例えば、最大周波数偏差推定器３３５、信号強度推定器３６０、パラメータ識別器５１０によって）識別される。
【００８０】
[0090]  ブロック７１５において、１つ以上のパラメータに少なくとも部分的に基づいて、復調器内の複数のモジュール間の接続は、ＦＭ信号を復調するために複数の復調モードのうちの１つを選択するように（例えば、コントローラ３５０、３５０−ａおよび／またはスイッチ４４０、４８０によって）構成される。
【００８１】
[0091]  方法７００の幾つかの実施形態において、複数の復調モードは、位相微分モード、ＰＬＬモード、ＦＣＦモード、および直交検出器モードのうちの２つ以上を含む。幾つかの実施形態において、変調器内の複数のモジュール間の接続を構成することは、復調モードの選択を位相微分モードからＰＬＬモードに切り換えることを含む。幾つかの実施形態において、複数の復調モードは、直交ＦＭモードを含む。復調器内の複数のモジュール間の接続を構成することは、復調モードの選択を位相微分モードからＦＣＦモードに切り換えることを含む。ＦＭ信号から識別された１つ以上のパラメータは、ＦＭ信号の信号強度メトリック（例えば、ＳＩＮＲ）およびＦＭ信号の最大周波数偏差のうちの１つまたは両方を含むことができる。
【００８２】
[0092]  方法７００の幾つかの実施形態において、１つ以上のパラメータに少なくとも部分的に基づいて１つ以上の信号（例えば、制御１、制御２）が（例えば、コントローラ３５０、３５０−ａ、制御信号生成器５４０によって）生成され、次に、ＦＭ信号を復調するための復調器内の複数のモジュール間の接続が、１つ以上の信号に少なくとも部分的に基づいて構成される。幾つかの実施形態において、方法は、（例えば、比較器５２０によって）１つ以上のパラメータのうちの１つをスレショルド値と比較することと、パラメータがスレショルド値を突破するときに復調モードの選択を切り換えることと、をさらに含む。
【００８３】
[0093]  方法７００の幾つかの実施形態において、復調器内の複数のモジュール間の接続を構成することは、ＦＭ信号を復調するために位相微分モードを選択することと、ＦＭ信号を復調するために復調器内の信号処理経路を構成することと、を含み、ここで、信号処理経路は、正規化器（例えば、正規化器４１０）と、アークタンジェントモジュール（例えば、ＡＴＡＮ４５０）と、位相微分器（例えば、位相微分器４６０）と、を含む。この実施形態において、正規化器は、アークタンジェントモジュールと通信可能な形で結合され、アークタンジェントモジュールは、位相微分器と通信可能な形で結合される。
【００８４】
[0094]  方法７００の幾つかの実施形態において、復調器内の複数のモジュール間の接続を構成することは、ＦＭ信号を復調するためにＰＬＬモードを選択することと、ＦＭ信号を復調するために復調器内の信号処理経路を構成することと、を含み、ここで、信号処理経路は、正規化器（例えば、正規化器４１０）と、乗算器（例えば、乗算器４２０）と、アークタンジェントモジュール（例えば、ＡＴＡＮ４５０）と、ＰＬＬループフィルタ（例えば、ＰＬＬループフィルタ４７０）と、ＮＣＯ（例えば、ＮＣＯ４９０）と、を含む。この実施形態において、正規化器は、乗算器と通信可能な形で結合され、乗算器は、アークタンジェントモジュールと通信可能な形で結合され、アークタンジェントモジュールは、ＰＬＬループフィルタと通信可能な形で結合され、ＰＬＬループフィルタはＮＣＯと通信可能な形で結合され、ＮＣＯは、乗算器と通信可能な形で結合される。
【００８５】
[0095]  方法７００の幾つかの実施形態において、復調器内の複数のモジュール間の接続を構成することは、ＦＭ信号を復調するためにＦＣＦモードを選択することと、ＦＭ信号を復調するために復調器内の信号処理経路を構成することと、を含み、ここで、信号処理経路は、正規化器（例えば、正規化器４１０）と、乗算器（例えば、乗算器４２０）と、適応型チャネルフィルタ（例えば、適応型チャネルフィルタ４３０）と、アークタンジェントモジュール（例えば、ＡＴＡＮ４５０）と、位相微分器（例えば、位相微分器４６０）と、ＮＣＯ（例えば、ＮＣＯ４９０）と、を含む。この実施形態において、正規化器は、乗算器と通信可能な形で結合され、乗算器は、適応型チャネルフィルタと通信可能な形で結合され、適応型チャネルフィルタは、アークタンジェントモジュールと通信可能な形で結合され、アークタンジェントモジュールは、位相微分器と通信可能な形で結合され、位相微分器はＮＣＯと通信可能な形で結合され、ＮＣＯは、乗算器と通信可能な形で結合される。
【００８６】
[0096]  図８は、複数のモードをサポートする適応型ＦＭ復調器が使用される無線通信のための方法８００の例を示したフローチャートである。明確化を目的として、方法８００は、以下においては、図１、２、３、４Ａ、４Ｂ、４Ｃ、４Ｄ、５、および／または６において示される局、受信機、復調器、デバイス、およびモジュールのうちの１つに関して説明される。一実施形態において、複数の局のうちの１つは、以下において説明される機能を実行するために局の機能要素を制御するための１つ以上の組のコードを実行することができる。
【００８７】
[0097]  ブロック８０５において、複数の復調モード（例えば、図４Ｂ、４Ｃ、および４Ｄの構成）をサポートする復調器（例えば、ＦＭ復調器３３０、３３０−ａ）においてＦＭ信号が受信される。
【００８８】
[0098]  ブロック８１０において、ＦＭ信号に対応する１つ以上のパラメータが（例えば、最大周波数偏差推定器３３５、信号強度推定器３６０、パラメータ識別器５１０によって）識別される。
【００８９】
[0099]  ブロック８１５において、１つ以上の信号（例えば、制御１、制御２）が１つ以上のパラメータに少なくとも部分的に基づいて生成される。
【００９０】
[0100]  ブロック８２０において、１つ以上の信号に少なくとも部分的に基づいて、復調器内の複数のモジュール間の接続は、ＦＭ信号を復調するために複数の復調モードのうちの１つを選択するように（例えば、コントローラ３５０、３５０−ａおよび／またはスイッチ４４０、４８０によって）構成される。
【００９１】
[0101]  図９は、複数のモードをサポートする適応型ＦＭ復調器が使用される無線通信のための方法９００の例を示したフローチャートである。明確化を目的として、方法９００は、以下においては、図１、２、３、４Ａ、４Ｂ、４Ｃ、４Ｄ、５、および／または６において示される局、受信機、復調器、デバイス、およびモジュールのうちの１つに関して説明される。一実施形態において、複数の局のうちの１つは、以下において説明される機能を実行するために局の機能要素を制御するための１つ以上の組のコードを実行することができる。
【００９２】
[0102]  ブロック９０５において、複数の復調モード（例えば、図４Ｂ、４Ｃ、および４Ｄの構成）をサポートする復調器（例えば、ＦＭ復調器３３０、３３０−ａ）においてＦＭ信号が受信される。
【００９３】
[0103]  ブロック９１０において、ＦＭ信号に対応する１つ以上のパラメータが（例えば、最大周波数偏差推定器３３５、信号強度推定器３６０、パラメータ識別器５１０によって）識別される。
【００９４】
[0104]  ブロック９１５において、１つ以上のパラメータのうちの少なくとも１つが（例えば、比較器５２０によって）スレショルド値と比較される。
【００９５】
[0105]  ブロック９２０において、少なくとも１つのパラメータがスレショルド値を突破するときに、復調器内の複数のモジュール間の接続がＦＭ信号を復調するために複数の復調モードのうちの１つを選択するように（例えば、コントローラ３５０、３５０−ａおよび／またはスイッチ４４０、４８０によって）構成される。
【００９６】
[0106]  従って、方法７００、８００、および９００は、無線通信を提供する。方法７００、８００、および９００の各々は、単なる１つの実装であり、方法７００、８００、および９００の操作は、その他の実装が可能であるように再編または変更されることができる。幾つかの例において、方法７００、８００、および９００の操作は、その他の実装を生成するために組み合わせられ得る。
【００９７】
[0107]  添付された図面に関連して上述される詳細な説明は、例示的な実施形態について説明するものであり、実装することができる又は請求項の範囲内にある唯一の実施形態を表すものではない。この説明全体を通じて用いられる用語“典型的な（exemplary）”は、“１つの例、事例、又は実例を提供すること”を意味し、その他の典型的な実施形態よりも“好ましい”又は“有利である”ことを意味するわけではない。詳細な説明は、説明される技法に関する理解を提供することを目的とした具体的な詳細を含む。しかしながら、これらの技法は、これらの具体的な詳細なしで実践することができる。幾つかの例において、非常によく知られた構造及びデバイスは、説明される実施形態の概念を曖昧にすることを回避するためにブロック図形で示される。
【００９８】
[0108]  情報及び信号は、様々な異なる技術及び技法のうちのいずれかを用いて表すことができる。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【００９９】
[0109]  ここにおける開示に関連して説明される様々な例示的なブロック及びモジュールは、ここにおいて説明される機能を果たすように設計された汎用プロセッサ、デジタル信号プロセッサ（ＤＳＰ）、ＡＳＩＣ、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、またはそれらのあらゆる組合せ、を用いて実装又は実行され得る。汎用プロセッサはマイクロプロセッサであることができるが、代替においては、プロセッサは、任意の従来型のプロセッサ、コントローラ、マイクロコントローラ、またはステートマシンであってもよい。プロセッサは、コンピューティングデバイスの組合せ、例えば、ＤＳＰとマイクロプロセッサとの組合せ、複数のマイクロプロセッサ、ＤＳＰコアと関連する１つ以上のマイクロプロセッサ、又は任意のその他のそのような構成、として実装され得る。
【０１００】
[0110]  ここにおいて説明される機能は、ハードウェア、プロセッサによって実行されるソフトウェア、ファームウェア、またはそれらの組み合わせで実装され得る。プロセッサによって実行されるソフトウェアで実装される場合は、これらの機能は、コンピュータ読み取り可能媒体上の１つ以上の命令又はコードとして格納または送信され得る。その他の例及び実装は、本開示および添付される請求項の範囲内にある。例えば、ソフトウェアの性質に起因して、上述される機能は、プロセッサによって実行されるソフトウェア、ハードウェア、ファームウェア、ハードワイヤリング、又はこれらの組み合わせを用いて実装されることができる。機能を実装する特徴は、様々な位置に物理的に配置され得、機能の一部分が異なる物理的ロケーションにおいて実装されるように分散されることを含む。さらに、請求項内を含むここにおいて使用される場合において、“〜のうちの少なくとも１つの”によって始まる項目のリストにおいて使用される“または”は、離接的リストを示し、従って、例えば、“Ａ、Ｂ、またはＣのうちの少なくとも１つの”のリストは、ＡまたはＢまたはＣまたはＡＢまたはＡＣまたはＢＣまたはＡＢＣ（すなわち、ＡおよびＢおよびＣ）を意味する。
【０１０１】
[0111]  コンピュータ読み取り可能媒体は、コンピュータ記憶媒体と、１つの場所から別の場所へのコンピュータプログラムの転送を容易にするあらゆる媒体を含む通信媒体との両方を含む。記憶媒体は、汎用コンピュータ又は専用コンピュータによってアクセス可能なあらゆる利用可能な媒体であることができる。例として、及び制限することなしに、コンピュータ読み取り可能媒体は、ＲＡＭ、ＲＯＭ、ＥＥＰＲＯＭ（登録商標）、ＣＤ−ＲＯＭまたはその他の光学ディスク記憶装置、磁気ディスク記憶装置またはその他の磁気記憶装置、または、命令又はデータ構造の形態で所望のプログラムコード手段を搬送または格納するために用いることができおよび汎用または専用コンピュータまたは汎用または専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、ツイストペア、デジタル加入者ライン（ＤＳＬ）、又は無線技術、例えば、赤外線、無線、及びマイクロ波、を用いてウェブサイト、サーバ、またはその他の遠隔ソースから送信される場合は、その同軸ケーブル、光ファイバケーブル、ツイストペア、ＤＳＬ、又は無線技術、例えば赤外線、無線、およびマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータ読み取り可能な媒体の適用範囲内に含められる。
【０１０２】
[0112]  本開示に関する前の説明は、当業者が本開示を製造又は使用することを可能にするために提供される。本開示に対する様々な変更は、当業者にとって容易に明確になるであろう、およびここにおいて定められる一般原理は、本発明の精神または適用範囲から逸脱せずにその他の変形に対しても適用され得る。本開示全体を通じて、用語“例”又は“例示的な”は、例を示すものであり、挙げられる例が優先されることを意味するものでも要求するものでもない。以上のように、本開示は、ここにおいて示される例及び設計に限定されるものではなく、ここにおいて開示される原理及び新規の特徴に一致する限りにおいて最も広範な適用範囲が認められるべきである。
以下に本願の出願当初の特許請求の範囲に記載された発明を付記する。
[Ｃ１]  無線通信のための方法であって、
複数の復調モードをサポートする復調器において周波数変調（ＦＭ）信号を受信することと、
前記ＦＭ信号に対応する１つ以上のパラメータを識別することと、
前記１つ以上のパラメータに少なくとも部分的に基づいて、前記ＦＭ信号を復調するために前記複数の復調モードのうちの１つを選択するように前記復調器内の複数のモジュール間の接続を構成することと、
を備える、方法。
[Ｃ２]  前記複数の復調モードは、位相微分モード、位相同期ループ（ＰＬＬ）モード、周波数圧縮フィードバック（ＦＣＦ）モード、および直交検出器モードのうちの２つ以上を備える、
Ｃ１に記載の方法。
[Ｃ３]  前記１つ以上のパラメータは、前記ＦＭ信号の信号強度メトリックおよび前記ＦＭ信号の最大周波数偏差のうちの１つまたは両方を備える、
Ｃ１に記載の方法。
[Ｃ４]  前記１つ以上のパラメータに少なくとも部分的に基づいて１つ以上の信号を生成することと、
前記１つ以上の信号に少なくとも部分的に基づいて前記ＦＭ信号を復調するために前記復調器内の複数のモジュール間の前記接続を構成することと、をさらに備える、
Ｃ１に記載の方法。
[Ｃ５]  前記１つ以上のパラメータのうちの１つをスレショルド値と比較することと、
前記パラメータが前記スレショルド値を突破するときに前記復調モードの選択を切り換えることと、をさらに備える、
Ｃ１に記載の方法。
[Ｃ６]  前記複数の復調モードは、直交ＦＭモードを備える、
Ｃ１に記載の方法。
[Ｃ７]  前記復調器内の複数のモジュール間の接続を構成することは、
前記ＦＭ信号を復調するために位相微分モードを選択することと、
前記ＦＭ信号を復調するために前記復調器内の信号処理経路を構成することであって、前記信号処理経路は、アークタンジェントモジュールと位相微分器とを備える、ことと、
を備える、
Ｃ１に記載の方法。
[Ｃ８]  前記復調器内の複数のモジュール間の接続を構成することは、
前記ＦＭ信号を復調するためにＰＬＬモードを選択することと、
前記ＦＭ信号を復調するために前記復調器内の信号処理経路を構成することであって、前記信号処理経路は、位相弁別器と、ＰＬＬループフィルタと、数値制御発振器（ＮＣＯ）と、を備える、ことと、
を備える、
Ｃ１に記載の方法。
[Ｃ９]  前記復調器内の複数のモジュール間の接続を構成することは、
前記ＦＭ信号を復調するためにＦＣＦモードを選択することと、
前記ＦＭ信号を復調するために前記復調器内の信号処理経路を構成することであって、前記信号処理経路は、乗算器と、適応型チャネルフィルタと、アークタンジェントモジュールと、位相微分器と、数値制御発振器（ＮＣＯ）と、を備える、ことと、
を備える、
Ｃ１に記載の方法。
[Ｃ１０]  無線通信のための装置であって、
複数の復調モードをサポートする復調器において周波数変調（ＦＭ）信号を受信するための手段と、
前記ＦＭ信号に対応する１つ以上のパラメータを識別するための手段と、
前記１つ以上のパラメータに少なくとも部分的に基づいて、前記ＦＭ信号を復調するために前記複数の復調モードのうちの１つを選択するように前記復調器内の複数のモジュール間の接続を構成するための手段と、
を備える、装置。
[Ｃ１１]  前記複数の復調モードは、位相微分モード、位相同期ループ（ＰＬＬ）モード、周波数圧縮フィードバック（ＦＣＦ）モード、および直交検出器モードのうちの２つ以上を備える、
Ｃ１０に記載の装置。
[Ｃ１２]  前記１つ以上のパラメータは、前記ＦＭ信号の信号強度メトリックおよび前記ＦＭ信号の最大周波数偏差のうちの１つまたは両方を備える、
Ｃ１０に記載の装置。
[Ｃ１３]  前記１つ以上のパラメータに少なくとも部分的に基づいて１つ以上の信号を生成するための手段と、
前記１つ以上の信号に少なくとも部分的に基づいて前記ＦＭ信号を復調するために前記復調器内の複数のモジュール間の前記接続を構成するための手段と、をさらに備える、
Ｃ１０に記載の装置。
[Ｃ１４]  前記１つ以上のパラメータのうちの１つをスレショルド値と比較するための手段と、
前記パラメータが前記スレショルド値を突破するときに前記復調モードの選択を切り換えるための手段と、をさらに備える、
Ｃ１０に記載の装置。
[Ｃ１５]  前記複数の復調モードは、直交ＦＭモードを備える、
Ｃ１０に記載の装置。
[Ｃ１６]  無線通信のための装置であって、
プロセッサと、
前記プロセッサと電子的通信状態にあるメモリと、
前記メモリに格納された命令と、を備え、前記命令は、
複数の復調モードをサポートする復調器において周波数変調（ＦＭ）信号を受信し、
前記ＦＭ信号に対応する１つ以上のパラメータを識別し、および、
前記１つ以上のパラメータに少なくとも部分的に基づいて、前記ＦＭ信号を復調するために前記複数の復調モードのうちの１つを選択するように前記復調器内の複数のモジュール間の接続を構成する
ために前記プロセッサによって実行可能である、装置。
[Ｃ１７]  前記複数の復調モードは、位相微分モード、位相同期ループ（ＰＬＬ）モード、周波数圧縮フィードバック（ＦＣＦ）モード、および直交検出器モードのうちの２つ以上を備える、
Ｃ１６に記載の装置。
[Ｃ１８]  前記１つ以上のパラメータは、前記ＦＭ信号の信号強度メトリックおよび前記ＦＭ信号の最大周波数偏差のうちの１つまたは両方を備える、
Ｃ１６に記載の装置。
[Ｃ１９]  前記命令は、
前記１つ以上のパラメータに少なくとも部分的に基づいて１つ以上の信号を生成し、および、
前記１つ以上の信号に少なくとも部分的に基づいて前記ＦＭ信号を復調するために前記復調器内の複数のモジュール間の前記接続を構成する
ために前記プロセッサによって実行可能である、
Ｃ１６に記載の装置。
[Ｃ２０]  前記命令は、
前記１つ以上のパラメータのうちの１つをスレショルド値と比較し、および、
前記パラメータが前記スレショルド値を突破するときに前記復調モードの選択を切り換える
ために前記プロセッサによって実行可能である、
Ｃ１６に記載の装置。
[Ｃ２１]  無線通信のためのコンピュータプログラム製品であって、前記コンピュータプログラム製品は非一時的なコンピュータ読み取り可能媒体を備え、前記コンピュータ読み取り可能媒体は、命令を格納し、前記命令は、
複数の復調モードをサポートする復調器において周波数変調（ＦＭ）信号を受信し、
前記ＦＭ信号に対応する１つ以上のパラメータを識別し、および、
前記１つ以上のパラメータに少なくとも部分的に基づいて、前記ＦＭ信号を復調するために前記複数の復調モードのうちの１つを選択するように前記復調器内の複数のモジュール間の接続を構成する
ためにプロセッサによって実行可能である、コンピュータプログラム製品。
[Ｃ２２]  前記命令は、
前記１つ以上のパラメータに少なくとも部分的に基づいて１つ以上の信号を生成し、および、
前記１つ以上の信号に少なくとも部分的に基づいて前記ＦＭ信号を復調するために前記復調器内の複数のモジュール間の前記接続を構成する
ために前記プロセッサによって実行可能である、
Ｃ２１に記載のコンピュータプログラム製品。
[Ｃ２３]
前記命令は、
前記１つ以上のパラメータのうちの１つをスレショルド値と比較し、および、
前記パラメータが前記スレショルド値を突破するときに前記復調モードの選択を切り換える
ために前記プロセッサによって実行可能である、
Ｃ２１に記載のコンピュータプログラム製品。
【図１】
0006325112.tif 000002
【図２】
0006325112.tif 000003
【図３】
0006325112.tif 000004
【図４Ａ】
0006325112.tif 000005
【図４Ｂ】
0006325112.tif 000006
【図４Ｃ】
0006325112.tif 000007
【図４Ｄ】
0006325112.tif 000008
【図５】
0006325112.tif 000009
【図６】
0006325112.tif 000010
【図７】
0006325112.tif 000011
【図８】
0006325112.tif 000012
【図９】
0006325112.tif 000013